(57)【要約】【課題】  本発明は、複数の燃料噴射気筒を有し１回転の間に該複数の燃料噴射気筒から燃料を順次に噴射する計測対象の燃料噴射ポンプからの燃料噴射量を計測する燃料噴射量計測システムに関し、燃料噴射気筒を特定して各燃料噴射気筒ごとの燃料噴射量を計測する。【解決手段】  燃料噴射ポンプの複数の燃料噴射気筒のうちの基準となる燃料噴射気筒の指定を受け、さらに噴射量検出器からの噴射量信号を受信して、噴射量信号に基づいて、それら複数の燃料噴射気筒の、指定を受けた基準となる燃料噴射気筒を基準とした燃料噴射順序を判別する噴射順序判別装置と、噴射量検出器からの噴射量信号を受信し、噴射量信号に基づいて複数の燃料噴射気筒それぞれの燃料噴射量を計測する噴射量計測装置とを備えた。【選択図】        図１
2014077357.tif 000002
【特許請求の範囲】
【請求項１】
複数の燃料噴射気筒を有し１回転する間に該複数の燃料噴射気筒から燃料を順次に噴射する燃料噴射ポンプからの燃料噴射量を計測する燃料噴射量計測システムであって、
前記燃料噴射気筒から噴射された燃料の噴射を受け燃料噴射量を表わす噴射量信号を出力する複数の噴射量検出器と、
前記燃料噴射ポンプの基準となる燃料噴射気筒の指定を受け、さらに前記噴射量検出器からの噴射量信号を受信して、該噴射量信号に基づいて、前記複数の燃料噴射気筒の、指定を受けた基準となる燃料噴射気筒を基準とした燃料噴射順序を判別する噴射順序判別装置と、
前記噴射量検出器からの噴射量信号を受信し、該噴射量信号に基づいて前記複数の燃料噴射気筒それぞれの燃料噴射量を計測する噴射量計測装置とを備えたことを特徴とする燃料噴射量計測システム。
【請求項２】
前記噴射順序判別装置は、前記噴射量信号の時間微分波形を求め、該時間微分波形としきい値とを比較することにより、前記燃料噴射ポンプの１回転中の、前記燃料噴射気筒からの燃料噴射のタイミングを求め、前記複数の燃料噴射気筒それぞれについての燃料噴射のタイミングに基づいて、該複数の燃料噴射気筒の、基準となる燃料噴射気筒を基準とした燃料噴射順序を判別するものであることを特徴とする請求項１記載の燃料噴射量計測システム。
【請求項３】
前記噴射量計測装置は、前記噴射量信号のうちの燃料噴射前のタイミングにおける噴射量信号の値と燃料噴射後のタイミングにおける噴射量信号の値とに基づいて燃料噴射量を計測するものであることを特徴とする請求項１又は２記載の燃料噴射量計測システム。
【発明の詳細な説明】
【技術分野】
【０００１】
本発明は、燃料噴射ポンプが１回転する間に複数の燃料噴射ノズルを介し順次に噴射する燃料の噴射量を計測する燃料噴射量計測システムに関する。
【背景技術】
【０００２】
従来よりディーゼルエンジンやガソリンエンジンなどのエンジンに噴射される燃料の噴射量の計測が行なわれており、この噴射量計測の精度を上げる提案がなされている（特許文献１〜３）。エンジンへの燃料の噴射には、対象とするエンジンの気筒数（例えば４気筒）に対応した数の燃料噴射気筒を有する燃料噴射ポンプが用いられる。例えば燃料噴射ポンプの製造ライン上で、組立てが終った燃料噴射ポンプの各燃料噴射気筒に噴射ノズルを介して各噴射量センサが取り付けられ、各噴射気筒ごとの噴射量が計測される。
【先行技術文献】
【特許文献】
【０００３】
【特許文献１】特開昭６２−１８８９１２号公報
【特許文献２】特開昭６２−１３５７３０号公報
【特許文献３】特開昭６３−１２２９２０号公報
【発明の概要】
【発明が解決しようとする課題】
【０００４】
ここで、燃料噴射ポンプの製造ラインでは、様々なタイプの燃料噴射ポンプの製造が行なわれる。燃料噴射ポンプに設けられた複数の燃料噴射気筒からの燃料噴射の順序は、その燃料噴射ポンプのタイプにより異なっている。このため、組立て終了時に燃料噴射ポンプの各燃料噴射気筒に噴射ノズルを介し噴射量センサを取り付けて噴射量計測を行なって、噴射量不良の燃料噴射気筒の存在が分かったとき、その燃料噴射ポンプに噴射不良が生じたことは分かっても、複数の燃料噴射気筒のうちのどの燃料噴射気筒に噴射不良が生じたのか、直ちには分からないことがある。特に再現性に乏しい噴射不良のときは、その特定が更に難しく、後の不良解析にも影響を及ぼすおそれがある。
【０００５】
ここで、例えば電子噴射式のガソリンエンジンなどの場合は、噴射制御用の電気信号に基づいたタイミングで噴射が行なわれるため、そのようなガソリンエンジンに採用される燃料噴射ポンプについて噴射量計測を行なう場合には、噴射量計測に合わせてその電気信号をモニタしておくことにより、比較的容易に噴射不良の燃料噴射気筒を特定することができる。
【０００６】
これに対し、例えば噴射制御を機械的なカム機構で行なうタイプのディーゼルエンジンなどの場合、そのような電気信号を得ることができず、噴射不良があったときにどのようにしてその噴射不良が発生した燃料噴射気筒を特定するかが問題となる。
【０００７】
本発明は、上記事情に鑑み、燃料噴射ポンプの燃料噴射量の計測にあたり、上記のような電気信号をモニタすることなく、燃料噴射気筒を特定して各燃料噴射気筒ごとの燃料噴射量を計測することができる燃料噴射量計測システムを提供することを目的とする。
【課題を解決するための手段】
【０００８】
上記目的を達成する本発明の燃料噴射量計測システムは、複数の燃料噴射気筒を有し１回転する間に複数の燃料噴射気筒から燃料を順次に噴射する燃料噴射ポンプからの燃料噴射量を計測する燃料噴射量計測システムであって、
燃料噴射気筒から送出された燃料の噴射を受け燃料噴射量を表わす噴射量信号を出力する複数の噴射量検出器と、
燃料噴射ポンプの基準となる燃料噴射気筒の指定を受け、さらに噴射量検出器からの噴射量信号を受信して、噴射量信号に基づいて、複数の燃料噴射気筒の、指定を受けた基準となる燃料噴射気筒を基準とした燃料噴射順序を判別する噴射順序判別装置と、
噴射量検出器からの噴射量信号を受信し、噴射量信号に基づいて複数の燃料噴射気筒それぞれの燃料噴射量を計測する噴射量計測装置とを備えたことを特徴とする。
【０００９】
本発明の燃料噴射システムは、上記の噴射順序判別装置により、複数の燃料噴射気筒の、基準の燃料噴射気筒を基準とした噴射順序が判別される。このため、その判別された噴射順序と噴射量計測値とを対応づけることにより、各噴射量計測値が、どの燃料噴射気筒から噴射された燃料の噴射量計測値であるかが分かり、噴射不良があったときは、その噴射不良の燃料噴射気筒を直ちに特定することができる。
【００１０】
ここで、本発明の燃料噴射量計測システムにおいて、噴射順序判別装置は、噴射量信号の時間微分波形を求め、その時間微分波形としきい値とを比較することにより、燃料噴射ポンプの１回転中の、燃料噴射気筒からの燃料噴射のタイミングを求め、複数の燃料噴射気筒それぞれについての燃料噴射のタイミングに基づいて、複数の燃料噴射気筒の、基準となる燃料噴射気筒を基準とした燃料噴射順序を判別するものであることが好ましい。
【００１１】
噴射順序判別装置では、このような演算を採用することにより、容易かつ確実に噴射順序を判別することができる。
【００１２】
また、本発明の燃料噴射量計測システムにおいて、噴射量計測装置は、噴射量信号のうちの燃料噴射前のタイミングにおける噴射量信号の値と燃料噴射後のタイミングにおける噴射量信号の値とに基づいて燃料噴射量を計測するものであることが好ましい。
【００１３】
このような噴射量計測装置を採用すると、高精度の噴射量計測が行なわれる。
【発明の効果】
【００１４】
以上の本発明によれば、燃料噴射気筒を特定して各燃料噴射気筒ごとの燃料噴射量を計測することができる。
【図面の簡単な説明】
【００１５】
【図１】本発明の一実施形態としての燃料噴射計測システムを示した図である。
【図２】噴射量検出器の構造を示した模式図である。
【図３】１Ｐ／Ｒのパルスと、燃料噴出ポンプの基準の燃料噴射気筒の噴射タイミング角度との関係を示した模式図である。
【図４】基準の燃料噴射気筒の噴射タイミング角度を表わす基準パルスの求め方を示した図である。
【図５】複数の燃料噴射気筒の、噴射順序検出方法の説明図である。
【図６】噴射量計測計における噴射量計測方法の説明図である。
【図７】噴射順序が正しく求められたときの各噴射量検出器への燃料噴射／燃料排出のタイミングチャートである。
【図８】噴射順序が予想と異なるにも拘らず予想通りの噴射順序であると仮定して制御を行なったときの燃料噴射／燃料排出のタイミングチャートである。
【発明を実施するための形態】
【００１６】
以下図面を参照して、本発明の実施の形態を説明する。
【００１７】
図１は、本発明の一実施形態としての燃料噴射計測システムを示した図である。
【００１８】
この図１には、計測対象の燃料噴射ポンプ１０と、燃料噴射量計測システム２０が示されている。ここでは、燃料噴射ポンプ１０とこの燃料噴射量計測システム２０の概要を説明し、燃料噴射量計測システム２０の詳細説明は後に譲る。
【００１９】
図１に示す燃料噴射ポンプ１０は、複数（ここでは４つ）の燃料噴射気筒１１を有する。これらの燃料噴射気筒１１からは、この燃料噴射ポンプ１０の回転軸１０ａが１回転する間に各気筒１回ずつ燃料が噴射される。ただし、燃料噴射順序は、この燃料噴射ポンプの型式ごとに異なる。
【００２０】
燃料噴射ポンプの製造ラインでは様々な型式の燃料噴射ポンプが製造される場合もあるため、燃料噴射順序をあらかじめ一律に決めておくことはできない。また、製造ラインでは４気筒エンジン向けの燃料噴射ポンプだけでなく、例えば３気筒、２気筒など様々な気筒数のエンジン向けの様々な燃料噴射ポンプが製造される。図１では一例として、４気筒エンジン向けの燃料噴射ポンプ１０が示されている。また、この燃料噴射ポンプ１０の回転軸１０ａには、エンコーダ１２が取り付けられている。このエンコーダ１２からは回転軸１０ａの１回転ごとに１つのパルスからなるパルス信号（１Ｐ／Ｒ）が出力される。この１Ｐ／Ｒは、後述する噴射量計測計２３に入力されて、回転軸１０ａの基準回転位置（回転角度０°）として用いられる。
【００２１】
また、この図１に示す燃料噴射量計測システム２０は、複数の噴射量検出器２１、複数の噴射量検出器アンプ２２、噴射量計測計２３、噴射判別ユニット２４、および燃料排出弁駆動ユニット２５を備えている。
【００２２】
噴射量検出器２１は、燃料噴射ポンプ１０の各燃料噴射気筒１１に取り付けられ、取り付けられた燃料噴射気筒から燃料噴射ノズル１３を介して噴射された燃料の噴射を受けて噴射量信号（図４（ｄ）を参照）を出力するセンサである。この図１には、燃料噴射ポンプ１０の４つの燃料噴射気筒１１に対応する４つの噴射量検出器２１が示されている。
【００２３】
これらの噴射量検出器２１から出力された噴射量信号は噴射量検出器アンプ２２でそれぞれ増幅されて、噴射量計測計２３および噴射判別ユニット２４の双方に入力される。
【００２４】
また、上記４つの噴射量検出器２１のうちの、最上部に示されている１つの噴射量検出器２１ａは、噴射量検出器アンプ２２を経由して噴射量計測計２３の第１チャンネル２３ａ、および噴射判別ユニット２４の第１チャンネル２４ａに接続されている。噴射量計測計２３では、燃料噴射ポンプの複数の燃料噴射気筒１１のうちの、この第１チャンネル２３ａ，２４ａに入力される噴射量信号が、基準の燃料噴射気筒１１ａから噴射されて基準の噴射量検出器２１ａで検出された噴射量信号であるとして認識される。換言すると、本実施形態では、オペレータが、基準の噴射量検出器２１ａに基準の燃料噴射気筒１１ａを接続することをもって、この噴射計測システムに対し基準の燃料噴射気筒１１ａを指定したことになる。
【００２５】
噴射量計測計２３では、各チャンネルごとの燃料噴射量が計測される。また、この噴射量計測計２３では、エンコーダ１２から受け取った、燃料噴射ポンプ１０の回転軸１０ａの基準回転位置（回転角度０°の位置）を示す１Ｐ／Ｒのパルス信号を逓倍して、１パルスあたり回転角度１°を表わす、１回転につき３６０パルスの信号（３６０Ｐ／Ｒ）を生成する。この３６０Ｐ／Ｒの信号は、逓倍ではなく、燃料噴射ポンプ１０の回転軸１０ａに１回転につき３６０パルスを出力するエンコーダを取付け、その信号を用いてもよい。
これら１Ｐ／Ｒおよび３６０Ｐ／Ｒは噴射量計測計２３から噴射判別ユニット２４に送られる。
【００２６】
噴射判別ユニット２４では、噴射量検出器アンプ２１を経由して受け取った噴射量信号、および噴射量計測計２３から受け取った１Ｐ／Ｒ，３６０Ｐ／Ｒに基づいて、燃料噴射ポンプ１０の複数の燃料噴射気筒１１の、基準の燃料噴射気筒（第１チャンネル２４ａから入力される噴射量信号生成の基になる燃料噴射気筒１１ａ）を基準とした噴射順序および基準となる燃料噴射気筒１１ａの噴射タイミング（基準噴射タイミング角度）が生成される。これら噴射順序および基準噴射タイミング角度を表わす噴射情報は、噴射量計測計２３に入力される。
【００２７】
噴射量計測計２３では、噴射判別ユニット２４から受け取った噴射情報に基づいて、燃料排出弁駆動ユニット２５に向けて、４台の噴射量検出器２１それぞれにおける燃料排出タイミングを算出し、燃料排出タイミングを表わす燃料排出タイミング信号を出力する。
【００２８】
燃料排出弁駆動ユニット２５は、噴射量計測計２３から受け取った燃料排出タイミング信号に基づいて燃料排出駆動信号を各噴出量検出器２１に向けて出力する。
【００２９】
噴射量検出器２１には、燃料排出弁２１１が備えられている。この燃料排出弁２１１は、燃料排出駆動信号を受けて開放され、噴射量検出器２１に噴射された燃料が排出される。
【００３０】
図２は、噴射量検出器の構造を示した模式図である。
【００３１】
この噴射量検出器２１は、図１でも説明した燃料排出弁２１１のほか、検出器本体２１２および安全弁２１３を有する。
【００３２】
検出器本体２１２には、図１に示す燃料噴射ポンプ１０の燃料噴射気筒１１から送出された燃料が燃料噴射ノズル１３を介して噴射される燃料入口２１２ａを有する。その燃料入口２１２ａから噴射された燃料は、燃料流路２１２ｂを通ってベローズ２１２ｃに達し、ベローズ２１２ｃを加圧する。ベローズ２１２ｃの裏側は窒素で一定圧力に加圧されている。ベローズ２１２ｃは、燃料が吹き込まれるとその吹き込まれた燃料による圧力を受けて変位する。この検出器本体２１２にはベローズ２１２ｃの変位を検出する変位センサ２１２ｄが備えられており、その変位センサ２１２ｄの出力がこの噴出量検出器２１からの噴出量信号として、図１に示す噴出量検出アンプ２２に伝えられる。
【００３３】
また燃料排出弁２１１には、図１に示す燃料排出弁駆動ユニット２５から燃料排出駆動信号が入力される。燃料排出弁２１１は、燃料排出駆動信号の入力を受けて弁を開き、検出器本体２１２の燃料流路２１２ｂ内の燃料を排出する。
【００３４】
また、安全弁２１３は、燃料排出弁２１１が開かないまま燃料噴射が行われるなど、何らかの理由で燃料流路２１３ｂ内の圧力が異常に高まったときに弁が開き、燃料流路２１２ｂ内の燃料を排出するためのものである。
【００３５】
図３は、１Ｐ／Ｒのパルスと、燃料噴射ポンプ１０の、基準の燃料噴射気筒１１ａの噴射タイミング角度との関係を示した模式図である。
【００３６】
図１に示す燃料噴射ポンプ１０の回転軸１０ａの回転基準位置（回転角度０°）を示す１Ｐ／Ｒ（図３（ａ））から見たときの、基準の燃料噴射気筒１１ａの噴射タイミング角度は、燃料噴射ポンプ１０の機種ごとに様々に異なっている。したがって、基準の燃料噴射気筒１１ａだけでなく、全ての燃料噴射気筒１１の噴射タイミング角度も機種ごとに異なっている。
【００３７】
また、上述の通り、複数の燃料噴射気筒１１における燃料噴射順序も機種によって異なっている。
【００３８】
そこで、本実施形態では、噴射判別ユニット２４において、以下のようにして、基準の燃料噴射気筒１１ａの噴射タイミングと、基準の燃料噴射気筒１１ａを基準とした、全ての燃料噴射気筒１１の噴射順序が求めらる。
【００３９】
図４は、基準の燃料噴射気筒の噴射タイミング角度を表わす基準パルスの求め方を示した図である。
【００４０】
図４（ａ）は燃料噴射ポンプ１０の回転軸１０ａの回転角度０°を表わす１Ｐ／Ｒ、図４（ｂ）は、回転角度１°ごとに１パルスを出力する３６０Ｐ／Ｒである。
【００４１】
図４（ｃ）は、ここでの演算で求めるべき（破線）あるいは求められた（実線）基準パルスを表わしている。
【００４２】
図４（ｄ）は、噴射量信号を表わしている。
【００４３】
ここでは、この図４（ｄ）に示す噴射量信号を微分して噴射量信号の微分波形を表わす微分信号（図４（ｅ））を生成して、その微分信号を所定のしきい値と比較し、コンパレート信号（図４（ｆ））を得る。基準パルス（図４（ｃ））を、このコンパレート信号のエッジから、噴射開始直前であって、かつ確実に噴射開始前に設定する見地から定めた角度、例えば２０°遡った角度に設定し、この基準パルスが１Ｐ／Ｒ（図４（ｃ））から何度後になるか求め、以後の基準パルスを得る。つまり、この基準パルス（図４（ｃ））は１Ｐ／Ｒ（図４（ａ））を回転角度０°としたときの、基準となる燃料噴射口１１ａからの噴射の基準となる回転角度を表わしている。
【００４４】
図５は、複数の燃料噴射気筒の、噴射順序検出方法の説明図である。
【００４５】
図５（ａ）,（ｂ）は、図４（ａ），（ｂ）と同じく、それぞれ１Ｐ／Ｒ，３６０Ｐ／Ｒを表わしている。
【００４６】
図５（ｃ）〜（ｆ）は、４つの燃料噴射気筒１１それぞれについての、図４（ｅ）と同様の微分信号を示している。
【００４７】
ここでは、図４（ｄ）〜（ｆ）を参照して説明した演算を各燃料噴射気筒それぞれに適用し、基準の燃料噴射気筒を基準とした各燃料噴射気筒の噴射タイミング角度の大小関係から、噴射の順序が求められる。すなわち、基準の燃料噴射気筒１１ａが図４（ｃ）に対応しＡ＜Ｂ＜Ｃとするときは、噴射順序は、（ｃ）ＣＨ１→（ｅ）ＣＨ３→（ｄ）ＣＨ２→（ｆ）ＣＨ４となる。
【００４８】
図１に示す噴射判別ユニット２４では、図４，図５を参照して説明した、基準の燃料噴射気筒からの噴射タイミング角度の基準となる基準パルスの角度情報、および全ての燃料噴射気筒についての噴射順序を表わす噴射情報が求められ、この噴射情報が噴射量計測計２３に伝えられる。
【００４９】
本実施形態では、このようにして噴射量信号から燃料噴射のタイミング角度および噴射順序を求めており、噴射タイミングがカム機構により制御されるタイプのディーゼルエンジン向けの燃料噴射ポンプであっても、噴射情報や噴射順序が求められる。
【００５０】
図６は、噴射量計測計２３における噴射量計測方法の説明図である。
【００５１】
ここでは、燃料噴射気筒２つ分について示されているが、これと同様にして４つの燃料噴射気筒それぞれについて噴射量の計測が行なわれる。
【００５２】
図６（ａ），（ｂ）は、図４（ａ），（ｂ）、および図５（ａ），（ｂ）と同様、１Ｐ／Ｒ，３６０Ｐ／Ｒである。
【００５３】
図６（ｃ１）および図６（ｃ２）は各燃料噴射気筒ごとの基準パルスを表わしている。
【００５４】
上述の通り、噴射判別ユニット２４では、基準の燃料噴射気筒からの燃料噴射の基準角度を表わす基準パルスの角度情報が生成されて噴射量計測計２３に入力される。ここでは４気筒エンジン向けの燃料噴射ポンプ１０を計測対象としており、したがって、噴射量計測計２３では、その基準の燃料噴射気筒に対応した基準パルスからさらに９０°，１８０°，２７０°それぞれ遅れた３つの基準パルスが生成されて、それらの基準パルスを、図５を参照して説明したようにして求めた噴射順序に従う、２番目、３番目、４番目に噴射する燃料噴射気筒にそれぞれ対応づけられる。
【００５５】
図６（ｃ１）に示す基準パルスは、基準の燃料噴射気筒に対応する基準パルスであり、図６（ｃ２）に示す基準パルスは、基準の燃料噴射気筒の次に噴射する燃料噴射気筒に対応づけられた基準パルスである。
【００５６】
図６（ｄ１），（ｄ２）は対応する基準パルスで立ち上がり、その基準パルスから１８０°経過した時点で立ち下がる計測タイミング信号である。
【００５７】
図６（ｅ１），（ｅ２）は、対応する計測タイミング信号の立ち下がりを受けて形成される燃料排出タイミング信号である。この燃料排出タイミング信号は、図１を参照して説明した通り、噴射量計測計２３から燃料排出弁駆動ユニット２５に向けて出力され、対応する噴射量検出器２１内に噴射された燃料が排出される。
【００５８】
図６（ｆ１），（ｆ２）は、対応する噴射量検出器２２から出力された噴射量信号を示している。
【００５９】
ここでは、各燃料噴射気筒に関し、先ずはその燃料噴射気筒に対応する基準パルス（図６（ｃ１），（ｃ２））の時点Ａ１，Ａ２で、対応する噴射量信号（図６（ｆ１），（ｆ２））の値が読み取られ、さらに、その基準パルスから１８０°進んだ、燃料排出タイミング信号のパルスの時点Ｂ１，Ｂ２で、対応する噴射量信号（図６（ｆ１），（ｆ２））の値が再度読み取られ、それらの差分ΔＶ１，ΔＶ２が算出される。これらの差分ΔＶ１，ΔＶ２は、それぞれ対応する燃料噴射気筒からの燃料の噴射量に対応した値である。
【００６０】
本実施形態ではこのように、噴射量信号の立ち上がり前の時点Ａ１，Ａ２と立ち上がった後の十分に安定した時点Ｂ１，Ｂ２との双方で噴射量信号の値を読み取って差分ΔＶ１，ΔＶ２を求めているため、高精度な噴射量計測が行なわれる。
【００６１】
図７は、噴射順序が正しく求められたときの各噴射量検出器への燃料噴射／燃料排出のタイミングチャートである。
【００６２】
図７（ａ）は、１Ｐ／Ｒ、図７（ｂ）は、基準パルスを示している。図７（ｂ）に示す基準パルスのうちの実線で示す基準パルスは基準の燃料噴射気筒に対応した基準パルスであり、点線の基準パルスはそれ以外の燃料噴射気筒に対応する基準パルスである。
【００６３】
図７（ｄ１）〜（ｄ４）に示すように、各噴射量信号は、タイミングを９０°ずつ順次ずらしながら、燃料噴射ポンプ１０の回転軸１０ａの回転の約半周期（約１８０°）で立ち上がり（燃料噴射）、立ち下がり（燃料排出）を繰り返す波形となっている。
【００６４】
図８は、噴射順序が予想と異なるにも拘らず予想通りの噴射順序であると仮定して制御を行なったときの燃料噴射／燃料排出のタイミングチャートである。
【００６５】
ここでは、噴射順序を噴射量計測計２３のチャンネル番号で１→２→３→４と予想したにも拘らず、実際の噴射順序が１→４→２→３だったときのタイミングチャートをあらわしている。
【００６６】
この場合、（ｃ１）〜（ｃ４）に示すタイミング信号は、この順に９０°ずつ位相がずれているが（ｄ１）〜（ｄ４）に示す噴射量信号は、（ｄ２）〜（ｄ４）に関し、破線で示す正規の燃料排出タイミングよりも早いタイミングで燃料排出が行なわれる。この場合、噴射量信号の立ち上がり前の時点（図６に示す時点Ａ１，Ａ２）と立ち上がりから一定角度回転した時点（図６に示す時点Ｂ１，Ｂ２）との２回の計測の差分をとろうとしても失敗し、正しい噴射量計測を行なうことができない。
【００６７】
ここで、噴射量計測の点のみから言えば、各チャンネルごとに独立に、噴射量信号の立ち上がりから１８０°回転した時点で燃料排出タイミング信号を生成し、その時点で値を読み取るように工夫することも可能である。ただし、基準の燃料噴射気筒が定まっていないと、仮に噴射量計測自体は高精度に行なわれても、異常の噴射量が計測されたときにどの燃料噴射気筒からの噴射量が異常だったのか判別できないおそれがある。
【００６８】
本実施形態では、上記のようにして基準の燃料噴射気筒を定め、その基準の燃料噴射気筒を基準とした噴射順序を求めているため、噴射量に異常があったときは噴射量が異常であった燃料噴射気筒を容易に特定でき、その後の不良解析等にスムーズに反映させることができる。
【符号の説明】
【００６９】
１０          燃料噴射ポンプ
１０ａ        回転軸
１１，１１ａ          燃料噴射気筒
１２          エンコーダ
１３          燃料噴射ノズル
２０          燃料噴射量計測システム
２０ａ        噴射量検出器
２１，２１ａ          噴射量検出器
２２          噴射量検出器アンプ
２３          噴射量計測計
２３ａ，２４ａ          第１チャンネル
２４          噴射判別ユニット
２５          燃料排出弁駆動ユニット
２１１        燃料排出弁
２１２        検出器本体
２１２ａ      燃料入口
２１２ｂ      燃料流路
２１２ｃ      ベローズ
２１２ｄ      変位センサ
２１３        安全弁
【図１】
2014077357.tif 000003
【図２】
2014077357.tif 000004
【図３】
2014077357.tif 000005
【図４】
2014077357.tif 000006
【図５】
2014077357.tif 000007
【図６】
2014077357.tif 000008
【図７】
2014077357.tif 000009
【図８】
2014077357.tif 000010